(57)【要約】【課題】飾り部品よりも下部の遊技領域における飛び交う領域を広くする。【解決手段】開閉体５２が閉じており、羽根部材１０４；１０５が開いた場合、遊技領域１８を流下した球は、定形入賞口部４３と振分突起５３；５４との間の隙間、または、振分突起５３；５４と羽根部材１０４；１０５との間の隙間を経由して羽根部材１０４；１０５に到達し、羽根部材１０４の内側面の上を左側から中央側に流下して左右開閉入賞口部４５に取り込まれるか、または、羽根部材１０５の内側面の上を左側から中央側に流下して左右開閉入賞口部４５に取り込まれる。【選択図】図１
2006175055.tif 000002
【特許請求の範囲】
【請求項１】
遊技盤の飾り部品よりも下部の遊技領域には、前後方向に開閉可能な前後開閉入賞口部を有する上入賞部品と、左右方向に開閉可能な左右開閉入賞口部を有する下入賞部品とが配置され、上入賞部品が振分突起を前後開閉入賞口部よりも左右で上入賞部品の前面部から前側に突出して備え、下入賞部品が左右開閉入賞口部を上入賞部品における振分突起の真下に位置して備えたことを特徴とするパチンコ機。
【請求項２】
振分突起は、前後方向への前後開閉入賞口部に沿って上下に延びる内側縦面部と、内側縦面部の上端から左側または右側にいくにしたがって高くなる上り勾配の斜面である内側上斜面部と、内側上斜面部から左側または右側にいくにしたがって低くなる下り勾配の斜面である外側上斜面部と、外側上斜面部から下方に行くにしたがって内側縦面部の方向に近づく下り勾配の斜面である外側下斜面部とで囲まれた形状に構成されたことを特徴とする請求項１記載のパチンコ機。
【請求項３】
下入賞部品における左右開閉入賞口部が左右に開閉する羽根部材を有し、羽根部材の左右への開閉の中心を構成する羽根軸が振分突起における外側上斜面部と外側下斜面部とが互いに連接した外中腹隅部からの垂線よりも左側または右側に配置され、羽根軸を中心として開閉する羽根部材の長さが振分突起における内側縦面部と外側下斜面部とが互いに連接した最下隅部からの垂線と分突起における外側上斜面部と外側下斜面部とが互いに連接した外中腹隅部からの垂線との間に配置される寸法に設定されたことを特徴とする請求項２記載のパチンコ機。
【発明の詳細な説明】
【技術分野】
【０００１】
本発明は、飾り部品よりも下部の遊技領域におけるパチンコ球の飛び交う領域が広くなるパチンコ機に関する。
【背景技術】
【０００２】
パチンコ機は、センター飾りと呼ばれる飾り部品が大形化されてきて、遊技盤における飾り部品よりも下部の遊技領域での飛び交う領域が狭くなり、電動チューリップやアタッカーなど複数の開閉入賞部品が大形化な飾り部品よりも下部の遊技領域で上下に設けられると、飾り部品よりも下部の遊技領域での飛び交う領域がさらに狭くなり、パチンコ機における基本的な球の飛び交う遊技性が低下する。このようなことから、特許文献１に開示された前後方向に開閉可能な開閉入賞口部を上下に有する開閉入賞部品を、飾り部品よりも下部の遊技領域に設けることも考えられる。しかしながら、前後方向に開閉可能な開閉入賞口部を上下に有する構造の場合、上側の開閉入賞口部と下側の開閉入賞口部との間が狭くなり過ぎ、上側の開閉入賞口部と下側の開閉入賞口部との間において球の流れ方が単調となり、パチンコ機における基本的な球の飛び交う遊技性が低下し、にわかに採用しがたいものである。
【特許文献１】特開平９−２３９１１３号公報
【発明の開示】
【発明が解決しようとする課題】
【０００３】
発明が解決しようとする問題点は、飾り部品よりも下部の遊技領域に設けられる開閉入賞部品における上側の開閉入賞口部と下側の開閉入賞口部との間において、球の流れ方が単調であるという点である。
【課題を解決するための手段】
【０００４】
本発明に係るパチンコ機は、遊技盤の飾り部品よりも下部の遊技領域には、前後方向に開閉可能な前後開閉入賞口部を有する上入賞部品と、左右方向に開閉可能な左右開閉入賞口部を有する下入賞部品とが配置され、上入賞部品が振分突起を前後開閉入賞口部よりも左右で上入賞部品の前面部から前側に突出して備え、下入賞部品が左右開閉入賞口部を上入賞部品における左側の振分突起の真下に位置して備えたことを特徴とすることを最も主要な特徴とする。本発明に係るパチンコ機において、振分突起は、前後方向への前後開閉入賞口部に沿って上下に延びる内側縦面部と、内側縦面部の上端から左側または右側にいくにしたがって高くなる上り勾配の斜面である内側上斜面部と、内側上斜面部から左側または右側にいくにしたがって低くなる下り勾配の斜面である外側上斜面部と、外側上斜面部から下方に行くにしたがって内側縦面部の方向に近づく下り勾配の斜面である外側下斜面部とで囲まれた形状に構成されたり、入賞部品における左右開閉入賞口部が左右に開閉する羽根部材を有し、羽根部材の左右への開閉の中心を構成する羽根軸が振分突起における外側上斜面部と外側下斜面部とが互いに連接した外中腹隅部からの垂線よりも左側または右側に配置され、羽根軸を中心として開閉する羽根部材の長さが振分突起における内側縦面部と外側下斜面部とが互いに連接した最下隅部からの垂線と振分突起における外側上斜面部と外側下斜面部とが互いに連接した外中腹隅部からの垂線との間に配置されたりしてもよい。
【発明の効果】
【０００５】
本発明に係るパチンコ機は、上入賞部品における前後方向への開閉入賞口部が閉じており、下入賞部品における左右方向への開閉入賞口部が開いた場合、遊技領域を流下した球は、振分突起の間の隙間、または、振分突起と下入賞部品における左右方向への開閉入賞口部との間の隙間を経由し開閉入賞口部に取り込まれるという利点がある。振分突起は、前後方向への開閉入賞口部に沿って上下に延びる内側縦面部と、内側縦面部の上端から左側または右側にいくにしたがって高くなる上り勾配の斜面である内側上斜面部と、内側上斜面部から左側または右側にいくにしたがって低くなる下り勾配の斜面である外側上斜面部と、外側上斜面部から下方に行くにしたがって内側縦面部の方向に近づく下り勾配の斜面である外側下斜面部とで囲まれた形状に構成されれば、上入賞部品における前後方向への開閉入賞口部が開放した場合、振分突起の内側上斜面部を左側から右側に流れて内側上斜面部から下方に落下する球は、前後方向への開閉入賞口部の左右方向中央部に向かって落下するので、内側上斜面部から落下した球が前後方向への開閉入賞口部に迅速に取り込まれるという利点がある。
【発明を実施するための最良の形態】
【０００６】
図１乃至図１３は、発明を実施するための最良の形態である。図１は、遊技盤１５における上入賞部品２２および下入賞部品２３の配置構成の正面を示す。図２は、上入賞部品２２および下入賞部品２３の寸法構成の正面を示す。図３は、図１をＢ−Ｂ線に沿い切断した断面を示す。図４は、パチンコ機の正面を示す。図５は、開閉体５２の閉じた上入賞部品２２を前側から示す。図６は、開閉体５２の開いた上入賞部品２２を前側から示す。図６は上入賞部品２２を裏側から示す。図８は、上入賞部品２２の側面を示す。図９は、羽根部材１０４；１０５の閉じた下入賞部品２３を前側から示す。図１０は、羽根部材１０４；１０５の開いた下入賞部品２３を前側から示す。図１１は、下入賞部品２３を裏側の左側から示す。図１２は、下入賞部品２３を裏側の右側から示す。図１３は、下入賞部品２３の側面を示す。この明細書において、「前」、「後」、「裏」、「左」、「右」、「上」、「下」の方向は、図４の状態に遊技機枠１および遊技盤１５を置いて正面から見た場合に特定される方向である。「後」と「裏」とは同じ方向である。
【０００７】
図４を参照し、パチンコ機について説明する。パチンコ機の遊技機枠１は、固定枠２の前側に可動枠３を左側のヒンジ４で横方向に片開き可能に取り付け、可動枠３の前側に前扉５および球皿構造体６を左側のヒンジ７で横方向に片開き可能に取り付け、閉じられた球皿構造体６で覆われる球発射機構８が可動枠３の前側に設けられる。固定枠２は、パチンコ店の島と呼ばれる図外の遊技機設置構造体に取り付けるための外枠と呼ばれる。可動枠３は、遊技盤１５を取り付ける前枠と呼ばれる。可動枠３は、施錠装置９を右側部に備える。前扉５は、パネル枠と呼ばれ、前後方向に貫通する窓１０と、窓１０を覆う裏側から覆う前面パネル１１とを備える。前面パネル１１は、光を透過する性質の有るガラスまたは合成樹脂などの材料からなる板状である。球皿構造体６は、球皿部１２および球発射操作機構１３を前面に備える。球皿部１２は、遊技に使用する球を受ける上方に開口した上方から下方に窪む容器である。球発射操作機構１３は、遊技者が球を発射するために操作するものである。
【０００８】
そして、可動枠３が図外のロック機構で固定枠２に開閉不能に支持され、前扉５および球皿構造体６が閉じられて図外のロック機構で可動枠３に開閉不能に支持された状態において、遊技店の店員が図外のキープレート（鍵）を遊技機枠１の前側から施錠装置９の鍵穴１４に挿入して当該キープレートを例えば左側に９０度回転操作すると、可動枠３と前扉５とのロック機構による支持形態が解除される。その状態において、遊技盤１５の前面が前側に向けられ、遊技盤１５が可動枠３の前側から可動枠３の内部に装着される。そして、前扉５が閉じられてロック機構で可動枠３に開閉不能に支持されることによって、遊技盤１５の前面が遊技機枠１の前側から前面パネル１１を通して見える形態となる。その後、店員がキープレートを施錠装置９の鍵穴１４から前側に抜き取る。
【０００９】
遊技盤１５は、方形な板状の前面における内ガイドレール１６と外ガイドレール１７とで囲まれた内側の遊技領域１８に、飾り部品１９、一般入賞部品２０、通過入賞部品２１、上入賞部品２２、下入賞部品２３、普通図柄表示器２４、主特別図柄表示器２５、副特別図柄表示器２６、入賞保留表示器２７；２８、球戻り防止弁２９、球反発体３０、アウト口３１、図外の遊技釘などの前部品を備える。内ガイドレール１６の左側部と外ガイドレール１７の左側部との間の隙間は、球発射通路３２である。
【００１０】
飾り部品１９は、センター飾りと呼ばれ、前面部３３、開口部３４、周壁３５、保護パネル３６、笠部３７、ステージ３８、球導入部３９を備える。前面部３３は、遊技盤１５の遊技領域１８に取り付けられる板状である。開口部３４は、前面部３３の中央に前後方向への貫通孔として形成される。周壁３５は、前面部３３から裏側に突出して開口部３４を囲む筒状である。保護パネル３６は、周壁３５の裏側開口を塞ぐように周壁３５の裏面に設けられた、光を透過する物性の有る無色な合成樹脂からなる板状である。笠部３７は、前面部３３の上部において、前面部３３から前側に突出し、遊技領域１８から笠部３７の上に乗った球を中央から左右方向に誘導して下方に落下させる構成である。
【００１１】
ステージ３８は、周壁３５の下縁部に設けられ、遊技領域１８からステージ３８の上に乗った球を左右方向に踊らせる部分である。ステージ３８における球の乗る上面は、下方に弧状に窪む中央谷部４０と、中央谷部４０の両側で上方に弧状に突出する山部４１と、山部４１の外側で弧状に窪む外側谷部４２とが左右方向に連続した波形である。そして、ステージ３８の上面に乗った球が、中央谷部４０や外側谷部４２から下方の遊技領域１８に直線的に落下する。球導入部３９は、笠部３７の左右側部とステージ３８の左右側部との間に設けられ、遊技領域１８からステージ３８の上に球を導入する部分である。
【００１２】
一般入賞部品２０、上入賞部品２２、下入賞部品２３は、遊技領域１８から入った球を遊技盤１５の裏側に排出する取込形の入賞部品である。一般入賞部品２０は、遊技領域１８から球が入賞すると、賞球として定められた個数の球を遊技者に払い出す入賞部品である。通過入賞部品２１は、普通始動入賞部品とも呼ばれ、遊技領域１８から球が入賞すると、普通図柄表示器２４による普通図柄変動遊技を行わせる入賞部品であって、遊技領域１８から入った球を遊技盤１５の裏側に排出することなく遊技領域１８に排出する通過形であり、賞球として定められた個数の球を遊技者に払い出さない入賞部品である。
【００１３】
上入賞部品２２は、遊技領域１８から球が入賞すると、主特別図柄表示器２５による特別図柄変動遊技を行わせる入賞部品であって、賞球として定められた個数の球を遊技者に払い出す。上入賞部品２２の上側の定形入賞口部４３と下側の前後開閉入賞口部４４が、ステージ３８の中央谷部４０の真下に配置される。下入賞部品２３は、上入賞部品２２の真下に配置され、特別図柄変動遊技の結果として主特別図柄表示器２５が当たり図柄を停止表示した場合、左右の左右開閉入賞口部４５；４６が所定回数または所定時間だけ開閉する大当たり遊技を行い、左右開閉入賞口部４５；４６の開放中に、遊技領域１８から球が入賞すると、賞球として定められた個数の球を遊技者に払い出し、開閉入賞口部が閉じると、遊技領域１８から球を入賞させない入賞部品である。上入賞部品２２および下入賞部品２３の詳細は、図１、図２、図５乃至図１３を用いて後述する。
【００１４】
普通図柄表示器２４は、遊技領域１８の左側部に設けられ、電気的に表示形態の変えられる数値を表示画面に表示する、７セグメント表示器やドット表示器のようなデジタル表示器により構成され、遊技領域１８から通過入賞部品２１への球の入賞に伴って普通図柄変動遊技の抽選を行うとともに表示画面に数値を可変表示した後に、表示画面に数値を停止表示することによって、普通図柄変動遊技の結果としての当たりや外れを遊技者に知らせる。
【００１５】
主特別図柄表示器２５は、下入賞部品２３に設けられ、電気的に表示形態の変えられる数値を表示画面に表示する、７セグメント表示器やドット表示器のようなデジタル表示器により構成され、遊技領域１８から上入賞部品２２への球の入賞に伴って特別図柄変動遊技の抽選を行うとともに表示画面に数値を可変表示した後に、表示画面に数値を停止表示することによって、特別図柄変動遊技の結果としての当たりや外れを遊技者に知らせる。副特別図柄表示器２６は、飾り部品１９の保護パネル３６の裏側に設けられ、電気的に表示形態の変えられる画像を表示画面に表示する、液晶表示器、ＣＲＴ表示器、プラズマディスプレイなどのような面状の画像表示器により構成され、遊技領域１８から上入賞部品２２への球の入賞に伴い、表示画面に数値を含む画像を可変表示した後に、表示画面に特別図柄変動遊技の抽選結果に対応した数値を含む演出用の変動遊技の画像を停止表示することによって、特別図柄変動遊技の結果としての当たりや外れを遊技者に知らせる。
【００１６】
前述したように遊技盤１５が可動枠３に装着され、前扉５が閉じられて可動枠３に開閉不能に支持された場合、内ガイドレール１６、外ガイドレール１７、遊技領域１８、飾り部品１９、一般入賞部品２０、通過入賞部品２１、上入賞部品２２、下入賞部品２３、普通図柄表示器２４、主特別図柄表示器２５、副特別図柄表示器２６、入賞保留表示器２７；２８、球戻り防止弁２９、球反発体３０、アウト口３１、球発射通路３２、遊技釘が、遊技機枠１の前側から前面パネル１１を通して見える。その状態において、遊技者が球皿部１２に球を入れて球発射操作機構１３を操作すると、球発射機構８が球発射操作機構１３による操作量に応じた電気的な発射力と１分間を百未満の等間隔に分けた周期とによって球皿部１２から供給された球を１個ずつ遊技領域１８に向けて発射する。この球発射機構８から発射された球は、球発射通路３２から球戻り防止弁２９を押し開けて遊技領域１８に到達する。遊技領域１８に到達した球は、遊技領域１８を上部から下方に流下する過程において、飾り部品１９、一般入賞部品２０、通過入賞部品２１、上入賞部品２２、下入賞部品２３、球反発体３０、遊技釘などに衝突して流れる方向を変えながら、一般入賞部品２０、通過入賞部品２１、上入賞部品２２、下入賞部品２３などに入賞する。一般入賞部品２０、下入賞部品２３、などのいずれかに入賞しないで遊技領域１８の下部に到達した球は、アウト口３１から遊技盤１５の裏側に排出される。
【００１７】
図５乃至図８を参照し、上入賞部品２２の構造について説明する。図５において、上入賞部品２２は、前面部５１、定形入賞口部４３、前後開閉入賞口部４４、開閉体５２、振分突起５３；５４、開閉駆動機構５５を備える。前面部５１は、図４の遊技盤１５の遊技領域１８に取り付けられる板状である。前面部５１には、ねじ挿入孔５６が、振分突起５３；５４の真上に位置し、前後方向への貫通孔として形成される。定形入賞口部４３は、球取込部５７および球排出部５８を備える。球取込部５７は、前面部５１の前面から前側に突出し、前面部５１の前面から前側に突出した球取込部５７の上面に開口した球入口５９を備え、遊技領域１８から球入口５９に取り込まれた球を前面部５１の方向に誘導する、ポケット形と呼ばれる定形な構造である。球排出部５８は、球取込部５７から前面部５１を前後に貫通して前面部５１の裏側に突出した後に、前面部５１の裏面に沿って左側に曲がる、上方に開口した溝として形成される。よって、遊技領域１８から定形入賞口部４３の球取込部５７に入賞した球は、前面部５１の裏面に沿って曲がった球排出部５８の左端部から下方に落下し、定形入賞口部４３から排出される。前後開閉入賞口部４４は、定形入賞口部４３の真下に位置し、開閉体５２および球入口６０を備える。開閉体５２は、開閉駆動機構５５によって前後方向に開閉される。球入口６０は、前面部５１に前後方向への貫通孔として形成される。そして、開閉体５２が球入口６０を開くことによって、球入口６０が、遊技領域１８から球を捕り込むことが可能に開放される。また、開閉体５２が球入口６０を閉じることによって、球入口６０が、遊技領域１８から球を捕り込むことが不可能に閉鎖される。
【００１８】
振分突起５３；５４は、上入賞部品２２を前側から見た場合、前後開閉入賞口部４４を中心とし、左右に対象な形状である。振分突起５３は、前後開閉入賞口部４４よりも左側に配置され、前面部５１の前面から前側に突出する突起であって、内側縦面部６１、内側上斜面部６２、外側上斜面部６３、外側下斜面部６４とで囲まれた形状である。内側縦面部６１は、球入口６０の左縁部に沿って上下に延びる垂直面である。内側上斜面部６２は、内側縦面部６１の上端から左側にいくにしたがって高くなる上り勾配の斜面である。外側上斜面部６３は、内側上斜面部６２から左側にいくにしたがって低くなる下り勾配の斜面である。外側下斜面部６４は、外側上斜面部６３から下方に行くにしたがって内側縦面部６１の方向に近づく下り勾配の斜面である。振分突起５４は、前後開閉入賞口部４４よりも右側に配置され、前面部５１の前面から前側に突出する突起であって、内側縦面部６５、内側上斜面部６６、外側上斜面部６７、外側下斜面部６８とで囲まれた形状である。内側縦面部６５は、球入口６０の右縁部に沿って上下に延びる垂直面であって、内側縦面部６１と左右方向で平行に向かい合う。内側上斜面部６６は、内側縦面部６５の上端から右側にいくにしたがって高くなる上り勾配の斜面である。外側上斜面部６７は、内側上斜面部６６から右側にいくにしたがって低くなる下り勾配の斜面である。外側下斜面部６８は、外側上斜面部６７から下方に行くにしたがって内側縦面部６５の方向に近づく下り勾配の斜面である。開閉体５２は、開閉軸６９を中心として、前面部５１から前側に開き、前面部５１の前側から前面部５１の方向に閉じるように、前後方向に開閉する。開閉軸６９は、開閉体５２の下部と球入口６０の下部の周りにおける前面部５１とにわたり設けられる。
【００１９】
図６において、開閉体５２の左側部には、ストッパー７０が設けられる。ストッパー７０は、開閉体５２の左側部から裏側に突出し、球入口６０から裏側に突出した前後開閉入賞口部４４の球通路を囲む隔壁７１を前側から裏側に貫通する。そして、開閉体５２が前面部５１から前側に開放されて上方から落下して来る球を受け取ることが可能となる位置まで突出すると、ストッパー７０が隔壁７１を貫通している部分の上縁部に接触し、開閉体５２が、それ以上、前側に移動しないように停止し、開閉体５２が最大開度位置となる。開閉体５２が最大開度位置に停止した場合、開閉体５２は、開閉体５２の上部から下部の方向に行くにしたがって下り勾配となり、受け取った球を球入口６０に誘導する。前後開閉入賞口部４４の奥には、球検出器７２が設けられる。球検出器７２は、球検出孔７３を前後方向への貫通孔として備える。そして、開放中の開閉体５２から前後開閉入賞口部４４に取り込まれた球が球検出孔７３を前側から裏側に通過することによって、球検出器７２が球検出信号を電気的に出力する。
【００２０】
図６および図８において、開閉駆動機構５５は、機構躯体７４、支持体７５、取付台７６、電磁ソレノイド７７、駆動レバー７８、従動レバー７９、レバー軸８０、連結棒８１、連結孔８２を備える。機構躯体７４は、前面部５１の裏面から裏側に突出して前後開閉入賞口部４４を囲む。機構躯体７４の一部が図６の隔壁７１を構成する。支持体７５は、機構躯体７４の裏側から機構躯体７４にタッピングスクリューのような止ねじ８３で取り付けられることによって、球検出孔７３を塞がないように、球検出器７２を機構躯体７４から脱落しないように支持する。機構躯体７４には、支柱８４が、機構躯体７４の裏側に突出する。取付台７６は、支柱８４の裏側から支柱８４の裏面にタッピングスクリューのような止ねじ８５で支柱８４の裏側から取り付けられることによって、球排出部５８から裏側に離れて配置される。取付台７６には、取付片８６が、取付台７６から裏側に突出する。取付片８６は、前面部５１の裏面に対し直角となる。
【００２１】
電磁ソレノイド７７が取付片８６の右側面に取付片８６の左側から操作される図外の止ねじで取り付けられることによって、電磁ソレノイド７７の駆動棒であるプランジャ８７が機構躯体７４の方向に向けられる。プランジャ８７には、受座８８が固定される。受座８８と電磁ソレノイド７７との間におけるプランジャ８７の外周には、コイルスプリングのようなばね８９が嵌め込まれる。ばね８９は、電磁ソレノイド７７から前面部５１の方向へのばね力をプランジャ８７に与える。駆動レバー７８は、機構躯体７４にレバー軸８０で回転可能に取り付けられる。駆動レバー７８に形成された連結孔８２には、プランジャ８７における受座８８よりも前側に突出する端部に固定された連結棒８１が挿入される。駆動レバー７８の前部には、上係合部９０および下係合部９１が二股状に形成される。従動レバー７９は、開閉体５２の右側部から裏側に突出し、上係合部９０と下係合部９１との間に挿入される。
【００２２】
そして、電磁ソレノイド７７への電力供給が遮断され、ばね８９がプランジャ８７を前側に突出し、駆動レバー７８の上係合部９０と下係合部９１とが下方に向き、従動レバー７９が上係合部９０と下係合部９１とから離れて上係合部９０と下係合部９１との間に位置し、開閉体５２が、図８に点線で示すように球入口６０を閉じる。このように開閉体５２が閉じると、図６のストッパー７０や図８の従動レバー７９を含む開閉体５２の重さが開閉体５２に開閉軸６９の真上よりも後側に加わり、開閉体５２が図６の隔壁７１に接触して受け止められる。開閉体５２が閉じられた状態において、電力が電磁ソレノイド７７に供給され、電磁ソレノイド７７がばね８９のばね力に抗しプランジャ８７を磁力で後側に吸引し、駆動レバー７８がレバー軸８０を中心として上方に回転し、下係合部９１が従動レバー７９を持ち上げるのに伴い、開閉体５２が開閉軸６９を中心として図８に点線で示す位置から仮想線で示す位置へと前側に開く。その後、電磁ソレノイド７７への電力供給が遮断され、プランジャ８７がばね８９で前側に突出し、駆動レバー７８がレバー軸８０を中心として下方に回転し、上係合部９０が従動レバー７９を押し下げるのに伴い、開閉体５２が開閉軸６９を中心として図８に仮想線で示す位置から点線で示す位置へと裏側に閉じる。
【００２３】
図８において、開閉駆動機構５５や球排出部５８が遊技盤１５の前側から遊技盤１５に形成された逃孔９２を経由して遊技盤１５の裏側に突出され、前面部５１の裏面が逃孔９２を閉鎖して遊技盤１５の前面に接触し、木ねじのような止ねじ９３が上入賞部品２２の前側から図５のねじ挿入孔５６を経由して遊技盤１５に締結され、上入賞部品２２が遊技盤１５に取り付けられる。これによって、定形入賞口部４３、前後開閉入賞口部４４の開閉体５２、前面部５１、振分突起５４が遊技盤１５の遊技領域１８よりも前側に突出する。
【００２４】
図９乃至図１３を参照し、下入賞部品２３の構造について説明する。図９において、下入賞部品２３は、前面部１０１、左右開閉入賞口部４５；４６、中央隔壁１０２、前覆体１０３、羽根部材１０４；１０５、開閉駆動機構１０６を備える。前面部１０１は、図４の遊技盤１５の遊技領域１８に取り付けられる板状である。前面部１０１には、一般入賞部品２０と切欠部１０７およびねじ挿入孔１０８が設けられる。一般入賞部品２０は、下入賞部品２３と別に形成して遊技領域１８に下入賞部品２３と別に取り付ける構造であってもよいが、最良の形態では、一般入賞部品２０が前面部１０１の左右側部に一体に設けられる。一般入賞部品２０は、前面部１０１の前面から前側に突出するとともに上面に開口した球入口１０９を備え、遊技領域１８から球入口１０９に取り込まれた球を前面部１０１の裏側に方向に誘導する、ポケット形と呼ばれる定形な構造である。切欠部１０７は、前面部１０１における下方に弧状に突出する下縁部の左右方向の中央に設けられ、前面部１０１の下縁部における下面から上方に窪み、前後方向に貫通する形状である。左右開閉入賞口部４５；４６は、下入賞部品２３を前側から見た場合、中央隔壁１０２の左右両側に配置され、中央隔壁１０２を中心とし、左右に対象な形状である。
【００２５】
左右開閉入賞口部４５は、前面部１０１と中央隔壁１０２の左側部と下隔壁１１０と前覆体１０３とによって囲まれ、遊技領域１８から球入口１１１に取り込まれた球を下方の球出口１１２に誘導する、左側から中央の方向に行くにしたがって下り勾配の通路を構成する。左右開閉入賞口部４５の球入口１１１には、羽根部材１０４を備える。そして、羽根部材１０４が球入口１１１を開くことによって、球入口１１１は遊技領域１８から球を捕り込むことが可能に開放される。また、羽根部材１０４が球入口１１１を閉じることによって、球入口１１１は遊技領域１８から球を捕り込むことが不可能に閉鎖される。つまり、左右開閉入賞口部４５は、羽根部材１０４が開くことよって遊技領域１８から球を捕り込むことが可能に開放され、羽根部材１０４が閉じることよって遊技領域１８から球を捕り込むことが不可能に閉鎖される、構造である。
【００２６】
左右開閉入賞口部４６は、前面部１０１と中央隔壁１０２の右側部と下隔壁１１３と前覆体１０３とによって囲まれ、遊技領域１８から球入口１１４に取り込まれた球を下方の球出口１１５に誘導する、右側から中央の方向に行くにしたがって下る通路を構成する。左右開閉入賞口部４６の球入口１１４には、羽根部材１０５を備える。そして、羽根部材１０５が球入口１１４を開くことによって、球入口１１４は遊技領域１８から球を捕り込むことが可能に開放される。また、羽根部材１０５が球入口１１４を閉じることによって、球入口１１４は遊技領域１８から球を捕り込むことが不可能に閉鎖される。つまり、左右開閉入賞口部４６は、羽根部材１０５が開くことよって、遊技領域１８から球を捕り込むことが可能に開放され、羽根部材１０５が閉じることよって、遊技領域１８から球を捕り込むことが不可能に閉鎖される、構造である。
【００２７】
中央隔壁１０２は、下入賞部品２３を前側から見た場合、前面部１０１の前面から前側に突出し、中央から左右方向にいくにしたがって下り勾配となる、上方に突出した弧状の突起であって、左右に対象な形状である。羽根部材１０４は、羽根軸１１６を中心として、前面部１０１の前面と平行に中央隔壁１０２から左側に開き、中央隔壁１０２の左側から中央隔壁１０２の方向（右側）に閉じるように、左右方向に開閉する。羽根軸１１６は、羽根部材１０４の下部と前面部１０１および前覆体１０３の左下部とにわたり設けられる。羽根部材１０５は、羽根軸１１７を中心として、前面部１０１の前面と平行に中央隔壁１０２から右側に開き、中央隔壁１０２の右側から中央隔壁１０２の方向（左側）に閉じるように、左右方向に開閉する。羽根軸１１７は、羽根部材１０５の下部と前面部１０１および前覆体１０３の右下部とにわたり設けられる。前覆体１０３には、表示孔１１８；１１９が、前後方向への貫通孔として設けられる。
【００２８】
表示孔１１８は、前覆体１０３の裏側に位置して前面部１０１に取り付けられた主特別図柄表示器２５の表示画面に表示された数値を、前覆体１０３の前側から見せるための貫通孔である。表示孔１１９は、前覆体１０３の裏側に位置して前面部１０１に取り付けられた入賞保留表示器２８の点灯および消灯状態を、前覆体１０３の前側から見せるための貫通孔である。左右開閉入賞口部４５における球入口１１１と球出口１１２との間には、球検出器１２０が設けられる。球検出器１２０は、球検出孔１２１を左側から右側への下り勾配の貫通孔として備える。そして、開放中の羽根部材１０４から左右開閉入賞口部４５に取り込まれた球が球検出孔１２１を左側から右側に通過することによって、球検出器１２０が球検出信号を電気的に出力する。左右開閉入賞口部４６における球入口１１４と球出口１１５との間には、球検出器１２２が設けられる。球検出器１２２は、球検出孔１２３を右側から左側への下り勾配の貫通孔として備える。そして、開放中の羽根部材１０５から左右開閉入賞口部４６に取り込まれた球が球検出孔１２３を右側から左側に通過することによって、球検出器１２２が球検出信号を電気的に出力する。
【００２９】
図１０において、羽根部材１０４；１０５が開閉駆動機構１０６によって開放され、羽根部材１０４；１０５の外側面が垂直状となり、羽根部材１０４が、それ以上、左側に移動しないように停止し、羽根部材１０５が、それ以上、右に移動しないように停止し、羽根部材１０４；１０５が最大開度位置となる。羽根部材１０４；１０５が最大開度位置に停止した場合、羽根部材１０４の内側面は、左側から右側にいくにしたがって下り勾配となる弧状の態様となり、受け取った球を球入口１１１に誘導し、羽根部材１０５の内側面は、右側から左側にいくにしたがって下り勾配となる弧状の態様となり、受け取った球を球入口１１１に誘導する。
【００３０】
図９乃至図１２において、開閉駆動機構１０６は、機構躯体１２４、電磁ソレノイド１２５、連結棒１２６、駆動レバー１２７；１２８、従動突起１２９；１３０を備える。機構躯体１２４は、タッピングスクリューのような止ねじ１３１が機構躯体１２４の裏側から機構躯体１２４を貫通して前面部１０１の裏面から裏側に突出した支柱１３２に取り付けられることによって、前面部１０１と機構躯体１２４との間に球検出器１２０；１２２の配置される空間が形成される。電磁ソレノイド１２５が機構躯体１２４から後側に突出した取付片１３３の上方から操作される止ねじ１３４で取り付けられることによって、電磁ソレノイド１２５の駆動棒であるプランジャ１３５が前面部１０１の方向に向けられる。プランジャ１３５には、受座１３６が固定される。受座１３６と電磁ソレノイド１２５との間におけるプランジャ１３５の外周には、コイルスプリングのようなばね１３７が嵌め込まれる。ばね１３７は、電磁ソレノイド１２５から前面部１０１の方向へのばね力をプランジャ１３５に与える。
【００３１】
プランジャ１３５における受座１３６よりも前面部１０１の側に位置する前端部には、連結棒１２６が固定される。連結棒１２６は、プランジャ１３５から左右方向に延びる１本の棒である。連結棒１２６の左端部は、機構躯体１２４の左側壁に形成された逃孔１３８を機構躯体１２４の内側から外側に貫通して機構躯体１２４の左側に突出する。連結棒１２６における機構躯体１２４よりも左側に突出した左端部は、左側の駆動レバー１２７に形成された連結孔１４０に挿入される。連結棒１２６の右端部は、機構躯体１２４の右側壁に形成された逃孔１３９を機構躯体１２４の内側から外側に貫通して機構躯体１２４の右側に突出する。連結棒１２６における機構躯体１２４よりも右側に突出した右端部は、右側の駆動レバー１２８に形成された連結孔１４１に挿入される。
【００３２】
駆動レバー１２７は、機構躯体１２４における左側壁の外側に配置され、機構躯体１２４の左側壁にレバー軸１４２で機構躯体１２４の左側壁に沿って上下方向に回転可能に取り付けられる。駆動レバー１２８は、機構躯体１２４における右側壁の外側に配置され、機構躯体１２４の右側壁にレバー軸１４３で機構躯体１２４の右側壁に沿って上下方向に回転可能に取り付けられる。駆動レバー１２７の前部には、上係合部１４４および下係合部１４５が二股状に形成される。駆動レバー１２８の前部には、上係合部１４６および下係合部１４７が二股状に形成される。従動突起１２９は、羽根部材１０４の右下部から裏側に突出し、前面部１０１の前側から前面部１０１に前後方向への貫通孔として形成された逃孔１４８を経由して前面部１０１の裏側に突出して上係合部１４４と下係合部１４５との間に挿入される。従動突起１３０、羽根部材１０５の左下部から裏側に突出し、前面部１０１の前側から前面部１０１に前後方向への貫通孔として形成された逃孔１４９を経由して前面部１０１の裏側に突出して上係合部１４６と下係合部１４７との間に挿入される。
【００３３】
そして、電磁ソレノイド１２５への電力供給が遮断され、ばね１３７がプランジャ１３５を前側に突出し、上係合部１４４；１４６および下係合部１４５；１４７が前側に向き、羽根部材１０４；１０５が、図１２に示すように球入口１１１；１１４を閉じる。このように羽根部材１０４；１０５が閉じると、羽根部材１０４が図９の下隔壁１１０に接触して受け止められ、羽根部材１０５が図９の下隔壁１１３に接触して受け止められる。羽根部材１０４；１０５が閉じられた状態において、電力が電磁ソレノイド１２５に供給され、電磁ソレノイド１２５がばね１３７のばね力に抗しプランジャ１３５を磁力で後側に吸引し、連結棒１２６が駆動レバー１２７；１２８を前側から後側に引くと、上係合部１４４；１４６および下係合部１４５；１４７が上側に向くように、駆動レバー１２７；１２８がレバー軸１４２；１４３を中心として上方に回転し、下係合部１４５；１４７が従動突起１２９：１３０を持ち上げるのに伴い、羽根部材１０４；１０５が羽根軸１１６；１１７を中心として図９に示す位置から図１０に示す位置へと左右方向に開く。その後、電磁ソレノイド１２５への電力供給が遮断され、プランジャ１３５がばね１３７で前側に突出し、駆動レバー１２７；１２８がレバー軸１４２；１４３を中心として下方に回転し、上係合部１４４；１４６が従動突起１２９：１３０を押し下げるのに伴い、羽根部材１０４；１０５が羽根軸１１６；１１７を中心として図１０に示す位置から点線で示す図９に示す位置へと中央隔壁１０２の方向に閉じる。
【００３４】
図１３において、開閉駆動機構１０６や一般入賞部品２０の裏側部分が遊技盤１５の前側から遊技盤１５に形成された逃孔１５０を経由して遊技盤１５の裏側に突出され、前面部１０１の裏面が逃孔１４８を閉鎖して遊技盤１５の前面に接触し、木ねじのような止ねじ１５１が下入賞部品２３の前側から図１２のねじ挿入孔１０８を経由して遊技盤１５に締結され、下入賞部品２３が遊技盤１５に取り付けられる。これによって、左右開閉入賞口部４５；４６の羽根部材１０４；１０５、前面部１０１、中央隔壁１０２、前覆体１０３が遊技盤１５の遊技領域１８よりも前側に突出する。
【００３５】
図１を参照し、上入賞部品２２が上側で、下入賞部品２３が下側となるように、上入賞部品２２および下入賞部品２３が遊技盤１５の遊技領域１８に取り付けられた構造について説明する。下入賞部品２３の切欠部１０７がアウト口３１の上部を囲み、下入賞部品２３における前面部１０１の下縁部が内ガイドレール１６の内側面に接触するかまたは接触する程度に近づけられ、下入賞部品２３が遊技領域１８に固定される。上入賞部品２２の前面部５１における下縁部の最下部が下入賞部品２３の中央隔壁１０２における最上部の真上に位置し、上入賞部品２２における前面部５１の下縁部が下入賞部品２３における前面部の下縁部に接触する程度に近づけられ、上入賞部品２２が遊技領域１８に固定される。これによって、上入賞部品２２の前後開閉入賞口部４４が下入賞部品２３の中央隔壁１０２における中央部の真上に配置され、上入賞部品２２の振分突起５３；５４が中央隔壁１０２の左右側部および羽根部材１０４；１０５の真上に配置される。
【００３６】
左側の羽根部材１０４が実線で示す位置に閉じて球入口１１１を塞ぐと、羽根部材１０４の上側における外側面が中央隔壁１０２の上面よりも下方に位置して中央隔壁１０２の上面から左側につながるように延びる。これによって、球が、中央隔壁１０２の上面を中央から左側に流れ、中央隔壁１０２の上面から閉じている羽根部材１０４の外側面を左側に流れ、羽根部材１０４の外側面の左端から下方に落下して内ガイドレール１６に到達する。そして、羽根部材１０４が実線で示す位置から仮想線で示す位置に羽根軸１１６を中心として左側に開くと、羽根部材１０４の外側面が垂直となり、羽根部材１０４の右側における内側面が球入口１１１の内側面につながる。これによって、球が、開いている羽根部材１０４の内側面における上端部と中央隔壁１０２の上面における左端部との間の隙間を通過し、羽根部材１０４の内側面を下方に流れ、羽根部材１０４の内側面から球入口１１１および球検出孔１２１を通過し球出口１１２に取り込まれて遊技盤１５の裏側に排出される。
【００３７】
右側の羽根部材１０５が実線で示す位置に閉じて球入口１１４を塞ぐと、羽根部材１０５の上側における外側面が中央隔壁１０２の上面よりも下方に位置して中央隔壁１０２の上面から右側につながるように延びる。これによって、球が、中央隔壁１０２の上面を中央から右側に流れ、中央隔壁１０２の上面から閉じている羽根部材１０５の外側面を右側に流れ、羽根部材１０５の外側面の右端から下方に落下して内ガイドレール１６に到達する。そして、羽根部材１０５が実線で示す位置から仮想線で示す位置に羽根軸１１７を中心として右側に開くと、羽根部材１０５の外側面が垂直となり、羽根部材１０５の左側における内側面が球入口１１４の内側面につながる。これによって、球が、開いている羽根部材１０５の内側面における上端部と中央隔壁１０２の上面における右端部との間の隙間を通過し、羽根部材１０５の内側面を下方に流れ、羽根部材１０５の内側面から球入口１１４および球検出孔１２３を通過し球出口１１５に取り込まれて遊技盤１５の裏側に排出さる。
【００３８】
図２を参照し、上入賞部品２２および下入賞部品２３の寸法関係について説明する。上入賞部品２２の振分突起５３は、内側縦面部６１と内側上斜面部６２とが互いに連接した内側中腹隅部１５５、内側上斜面部６２と外側上斜面部６３とが互いに連接した頂上隅部１５６、外側上斜面部６３と外側下斜面部６４とが互いに連接した外中腹隅部１５７、内側縦面部６１と外側下斜面部６４とが互いに連接した最下隅部１５８を有する。振分突起５４は、内側縦面部６５と内側上斜面部６６とが互いに連接した内側中腹隅部１５９、内側上斜面部６６と外側上斜面部６７とが互いに連接した頂上隅部１６０、外側上斜面部６７と外側下斜面部６８とが互いに連接した外中腹隅部１６１、内側縦面部６５と外側下斜面部６８とが互いに連接した最下隅部１６２を有する。
【００３９】
頂上隅部１５６；１６０は、球入口６０の上縁部から左右方向に延びる直線上に位置する。最下隅部１５８；１６２は、球入口６０よりも下方に位置する。頂上隅部１５６と定形入賞口部４３の球取込部５７における左下隅部の間の隙間Ｌ１と、頂上隅部１６０と定形入賞口部４３の球取込部５７における右下隅部との間の隙間Ｌ２とは、同一寸法であって、１個の球の直径Ｄと直径Ｄの２倍未満との範囲であるが、２×Ｄに近い寸法になっている（Ｄ＜Ｌ１＝Ｌ２＞２・Ｄ）。開いている羽根部材１０４の内側面における上端部と中央隔壁１０２の上面における左端部の間の隙間Ｌ３と、開いている羽根部材１０５の内側面における上端部と中央隔壁１０２の上面における右端部との間の隙間Ｌ４とは、同一寸法であって、直径Ｄの２倍と３倍との範囲であるが、２．５×Ｄに近い寸法になっている（２・Ｄ＜Ｌ３＝Ｌ４＞３・Ｄ）。
【００４０】
開いている羽根部材１０４の内側面における上端部と外中腹隅部１５７との間の隙間Ｌ５と、開いている羽根部材１０５の内側面における上端部と外中腹隅部１６１との間の隙間Ｌ６とは、同一寸法であって、直径Ｄの２倍と３倍との範囲であるが、２．５×Ｄに近い寸法になっている（２・Ｄ＜Ｌ５＝Ｌ６＞３・Ｄ）。最下隅部１５８と中央隔壁１０２の上面における左端部の間の隙間Ｌ７と、最下隅部１６２と中央隔壁１０２の上面における右端部の間の隙間Ｌ８とは、同一寸法であって、１個の球の直径Ｄと直径Ｄの２倍未満との範囲であるが、２・ＤよりもＤに近い寸法になっている（Ｄ＜Ｌ７＝Ｌ８＞２・Ｄ）。外中腹隅部１５７を通る仮想線で示す垂線Ｌ９は、羽根部材１０４における内側面の下部に交差する。外中腹隅部１６１を通る仮想線で示す垂線Ｌ１０は、羽根部材１０５における内側面の下部に交差する。最下隅部１５８を通る仮想線で示す垂線Ｌ１１は、中央隔壁１０２の上面における左側部に交差する。最下隅部１６２を通る仮想線で示す垂線Ｌ１２は、中央隔壁１０２の上面における右側部に交差する。隙間Ｌ７は、垂線Ｌ１１が中央隔壁１０２の上面と交わる位置と最下隅部１５８との間の隙間である。隙間Ｌ８は、垂線Ｌ１２が中央隔壁１０２の上面と交わる位置と最下隅部１６２との間の隙間である。
【００４１】
最良の形態によれば、図３に示すように、遊技盤１５の遊技領域１８と遊技盤１５の前側に配置された前面パネル１１との間の隙間１６３は、球が遊技領域１８を飛び交う空間として形成される。前面パネル１１と定形入賞口部４３の前面との間の隙間１６４、前面パネル１１と振分突起５３；５４の前面との間の隙間１６５、前面パネル１１と前覆体１０３の前面との間の隙間１６６のそれぞれには、遊技領域１８を飛び交う球１６７が進入しない。
【００４２】
図１において、上入賞部品２２の定形入賞口部４３がステージ３８の中央谷部４０の真下に配置され、定形入賞口部４３の球入口５９が上方に開口しているので、ステージ３８の中央谷部４０から下方に落下した球は、真下の定形入賞口部４３に取り込まれる可能性が高い。開閉体５２が図１に実線で示す位置から仮想線で示す位置に開放した場合、遊技領域１８を流下した球は、定形入賞口部４３と振分突起５３；５４との間の隙間を経由して開閉体５２に到達し、開閉体５２の上を前側から後側に流下して前後開閉入賞口部４４に取り込まれる。この場合、振分突起５３の内側上斜面部６２を左側から右側に流れて内側上斜面部６２から下方に落下する球は、または、振分突起５４の内側上斜面部６６を右側から左側に流れて内側上斜面部６６から下方に落下する球は、開閉体５２の左右方向中央部に向かって落下するので、内側上斜面部６２；６６から落下した球が前後開閉入賞口部４４に迅速に取り込まれるという利点がある。また、開閉体５２の左右方向の両側には振分突起５３；５４の内側縦面部６１；６５が垂直面として配置されているので、内側上斜面部６２；６６から開閉体５２の上に落下した球が開閉体５２の上で跳ねたとしても、当該球は内側縦面部６１；６５で開閉体５２の方向に跳ね返されて前後開閉入賞口部４４に確実に取り込まれるという利点がある。
【００４３】
開閉体５２が図１に仮想線で示す位置から実線で示す位置に閉じており、左右の羽根部材１０４；１０５が実線で示す位置から仮想線で示す位置に開いた場合、遊技領域１８を流下した球は、定形入賞口部４３と振分突起５３；５４との間の隙間、または、振分突起５３；５４と羽根部材１０４；１０５との間の隙間を経由して羽根部材１０４；１０５に到達し、羽根部材１０４の内側面の上を左側から中央側に流下して左右開閉入賞口部４５に取り込まれるか、または、羽根部材１０５の内側面の上を左側から中央側に流下して左右開閉入賞口部４５に取り込まれる。具体的には、図２に示すように、最下隅部１５８を通る仮想線で示す垂線Ｌ１１が中央隔壁１０２の上面における左側部に交差し、最下隅部１６２を通る仮想線で示す垂線Ｌ１２が中央隔壁１０２の上面における右側部に交差するので、図１において、定形入賞口部４３と振分突起５３；５４との間の隙間を通過した球は、中央隔壁１０２の上面に落下した後、中央隔壁１０２の上面を左側または右側に流下して左右開閉入賞口部４５；４６のいずれかに取り込まれるという利点がある。
【００４４】
下入賞部品２３の前面部１０１には、遊技盤１５のアウト口３１の上部を囲む切欠部１０７が設けられているので、下入賞部品２３を内ガイドレール１６の内側面に接触するかまたは接触する程度に近づけることができるという利点がある。球検出孔１２１；１２３が球を斜めに通過させる格好となるように、球検出器１２０；１２２が左右開閉入賞口部４５；４６に設けられているので、左右開閉入賞口部４５；４６における遊技領域１８から球入口１１１；１１４に取り込まれた球を下方の球出口１１２に誘導する通路の上下寸法を小さく設定することができるという利点がある。左右開閉入賞口部４５；４６における遊技領域１８から球入口１１１；１１４に取り込まれた球を下方の球出口１１２に誘導する通路の上下寸法を小さく設定することによって、図４に示すように上入賞部品２２と飾り部品１９との間における球の飛び交う領域を広くすることができる。
【００４５】
図２において、羽根部材１０４の内側面における上端部が外中腹隅部１５７を通る仮想線で示す垂線Ｌ９よりも左側に突出し、羽根部材１０５の内側面における上端部が外中腹隅部１６１を通る仮想線で示す垂線Ｌ１０よりも右側に突出しているので、図１において、振分突起５３；５４の外側上斜面部６３；６７を流下した球が外側上斜面部６３；６７から真下に落下した場合、当該球が左右開閉入賞口部４５；４６のいずれかに容易に取り込まれるという利点がある。振分突起５３の外側下斜面部６４が外側上斜面部６３から下方に行くにしたがって内側縦面部６１の方向に近づく下り勾配の斜面になっているので、外側上斜面部６３を流下した球が外側上斜面部６３から外側下斜面部６４の側に巻き込まれて外側上斜面部６３から真下に落下しやすいという利点がある。振分突起５４の外側下斜面部６８が外側上斜面部６７から下方に行くにしたがって内側縦面部６５の方向に近づく下り勾配の斜面になっているので、外側上斜面部６７を流下した球が外側上斜面部６７から外側下斜面部６８の側に巻き込まれて外側上斜面部６７から真下に落下しやすいという利点がある。
【００４６】
垂線Ｌ９よりも左側に配置された羽根軸１１６を中心として開閉する羽根部材１０４の長さが、垂線Ｌ９と垂線Ｌ１１との間に配置された中央隔壁１０２の左側部までの範囲に設定されているので、羽根軸１１６を中心として開閉する羽根部材１０４の長さを仮想線Ｌ１３で示すように中央隔壁１０２の中央までの範囲に設定した場合よりも短くなり、羽根部材１０４が振分突起５３に衝突するこなく、上入賞部品２２と下入賞部品２３とが互いに近づけられて配置される。垂線Ｌ１０よりも右側に配置された羽根軸１１７を中心として開閉する羽根部材１０５の長さが、垂線Ｌ１０と垂線Ｌ１２との間に配置された中央隔壁１０２の右側部までの範囲に設定されているので、羽根軸１１７を中心として開閉する羽根部材１０５の長さを仮想線Ｌ１４で示すように中央隔壁１０２の中央までの範囲に設定した場合よりも短くなり、羽根部材１０５が振分突起５４に衝突するこなく、上入賞部品２２と下入賞部品２３とが互いに近づけられて配置される。そして、下入賞部品２３が内ガイドレール１６に近づけられて配置されることによって、図４に示すように上入賞部品２２と飾り部品１９との間における球の飛び交う領域を広くすることができるという利点がある。
【００４７】
図４を参照し、通過入賞部品２１、上入賞部品２２、下入賞部品２３、普通図柄表示器２４、主特別図柄表示器２５、副特別図柄表示器２６に関する遊技制御の一例について説明する。初期状態として、上入賞部品２２の前後開閉入賞口部４４および下入賞部品２３の左右開閉入賞口部４５；４６が閉じているものとする。そして、球が遊技領域１８から通過入賞部品２１に入賞し、通過入賞部品２１に設けられた図外の球検出器が通過入賞球検出信号を図外の制御装置に出力すると、制御装置が普通図柄変動遊技に対する当たり外れの抽選を実行するとともに普通図柄表示器２４を制御する。これによって、普通図柄表示器２４が表示画面に数値を可変表示した後に、普通図柄変動遊技に対する当たり外れの抽選を反映した数値を表示画面に停止表示する。例えば、普通図柄変動遊技に対して当たりが抽選された場合、普通図柄表示器２４は、制御装置に当たり図柄として設定されている数値を表示画面に停止表示する。普通図柄変動遊技に対して外れが抽選された場合、普通図柄表示器２４は、制御装置に外れ図柄として設定されている数値を表示画面に停止表示する。普通図柄変動遊技に対して当たりが抽選され、普通図柄表示器２４が表示画面に当たり図柄として設定されている数値を停止表示した後、制御装置は上入賞部品２２の前後開閉入賞口部４４を所定時間だけ１回開閉する。
【００４８】
また、球が遊技領域１８から上入賞部品２２の定形入賞口部４３に入賞し、上入賞部品２２に設けられた図外の球検出器が上入賞球検出信号を図外の制御装置に出力すると、制御装置が特別図柄変動遊技に対する当たり外れの抽選を実行するとともに主特別図柄表示器２５および副特別図柄表示器２６を制御する。これによって、主特別図柄表示器２５および副特別図柄表示器２６が表示画面に数値を含む画像を可変表示した後に、特別図柄変動遊技に対する当たり外れの抽選を反映した数値を含む画像を表示画面に停止表示する。例えば、特別図柄変動遊技に対して当たりが抽選された場合、主特別図柄表示器２５および副特別図柄表示器２６は、制御装置に当たり図柄として設定されている数値を含む画像を表示画面に停止表示する。特別図柄変動遊技に対して外れが抽選された場合、主特別図柄表示器２５および副特別図柄表示器２６は、制御装置に外れ図柄として設定されている数値を含む画像を表示画面に停止表示する。特別図柄変動遊技に対して当たりが抽選され、主特別図柄表示器２５が表示画面に当たり図柄として設定されている数値を含む画像を停止表示した後、制御装置は下入賞部品２３の左右開閉入賞口部４５；４６を所定時間間隔で数回または十数回開閉する。
【００４９】
また、前記特別図柄変動遊技に対する当たり外れの抽選によって、当たりにおける確率変動当たりが抽選された場合、制御装置は、確率変動遊技をメモリに設定し、前後開閉入賞口部４４に対する開放時間を所定時間よりも短い短時間にメモリを設定し、前後開閉入賞口部４４に対する開閉回数を１回よりも多い回数にメモリを設定する。このように確率変動当たりによる確率変動遊技が制御装置に設定された状態において、球が遊技領域１８から通過入賞部品２１に入賞し、制御装置が普通図柄変動遊技に対して当たりが抽選し、普通図柄表示器２４が制御装置に当たり図柄として設定されている数値を表示画面に停止表示した後、制御装置は上入賞部品２２の前後開閉入賞口部４４を短時間の開放時間間隔で１回よりも多い回数例えば２回だけ開閉する。確率変動遊技における前後開閉入賞口部４４に対する開放時間は、所定時間よりも長い短時間にメモリを設定してもよい。確率変動遊技における前後開閉入賞口部４４に対する開閉回数は２回以上であってもよい。特別図柄変動遊技を行わせる入賞部品としての上入賞部品２２が、賞球として定められた個数の球を遊技者に払い出す定形入賞口部４３と、賞球として定められた個数の球を遊技者に払い出す前後開閉入賞口部４４を備えているので、定形入賞口部４３への入賞による賞球として払い出す球の個数と、前後開閉入賞口部４４への入賞による賞球として払い出す球の個数とを、制御装置に同じ数値として設定してもよいが、異なる数値として設定することによって、容易に変えることができるという利点がある。
【図面の簡単な説明】
【００５０】
【図１】遊技盤の上入賞部品および下入賞部品の配置を示す正面図（最良の形態）。
【図２】上入賞部品および下入賞部品の寸法を示す正面図（最良の形態）。
【図３】図１のＢ−Ｂ線断面図（最良の形態）。
【図４】パチンコ機を示す正面図（最良の形態）。
【図５】開閉体の閉じた上入賞部品を前側から示す斜視図（最良の形態）。
【図６】開閉体の開いた上入賞部品を前側から示す斜視図（最良の形態）。
【図７】上入賞部品を裏側から示す斜視図（最良の形態）。
【図８】上入賞部品を示す側面図（最良の形態）。
【図９】羽根部材の閉じた下入賞部品を前側から示す斜視図（最良の形態）。
【図１０】羽根部材の開いた下入賞部品を前側から示す斜視図（最良の形態）。
【図１１】下入賞部品を裏側の左側から示す斜視図（最良の形態）。
【図１２】下入賞部品を裏側の右側から示す斜視図（最良の形態）。
【図１３】下入賞部品を示す側面図（最良の形態）。
【符号の説明】
【００５１】
１５  遊技盤、１８  遊技領域、１９  飾り部品、２２  上入賞部品、
２３  下入賞部品、４４  前後開閉入賞口部、４５  左右開閉入賞口部、
４６  左右開閉入賞口部、５３  振分突起、５４  振分突起、
６１  内側縦面部、６２  内側上斜面部、６３  外側上斜面部、６４  外側下斜面部、
６５  内側縦面部、６６  内側上斜面部、６７  外側上斜面部、６８  外側下斜面部、
１０４  羽根部材、１０５  羽根部材、１１６  羽根軸、１１７  羽根軸。
【図１】
2006175055.tif 000003
【図２】
2006175055.tif 000004
【図３】
2006175055.tif 000005
【図４】
2006175055.tif 000006
【図５】
2006175055.tif 000007
【図６】
2006175055.tif 000008
【図７】
2006175055.tif 000009
【図８】
2006175055.tif 000010
【図９】
2006175055.tif 000011
【図１０】
2006175055.tif 000012
【図１１】
2006175055.tif 000013
【図１２】
2006175055.tif 000014
【図１３】
2006175055.tif 000015